(57)【要約】【課題】低コストで実現可能な多地点会議システムを提供する。【解決手段】ＩＰネットワークを介して複数のユーザ端末を接続し、音声情報を含む会議データを授受するための多地点会議システムにおいて、複数のユーザ端末それぞれは、メールの送受信によって会議データを授受するために必要なセッションに関する設定情報を授受する設定情報収集手段と、設定情報に基づいて、音声情報を含む会議データを授受のための適切なセッションを確立するセッション確立手段と、確立されたセッションを介して音声情報を含む会議データをやり取りする通信手段とを備え、複数のユーザ端末のいずれかに、確立されたセッションを経由してやり取りされる音声情報をミキシングし、各ユーザ端末に適切な音声情報を配信するミキシング手段を備える。【選択図】      図１
2007026199.tif 000002
【特許請求の範囲】
【請求項１】
ＩＰネットワークを介して複数のユーザ端末を接続し、音声情報を含む会議データを授受するための多地点会議システムにおいて、
前記複数のユーザ端末それぞれは、
メールの送受信によって前記会議データを授受するために必要なセッションに関する設定情報を授受する設定情報収集手段と、
前記設定情報に基づいて、音声情報を含む会議データを授受のための適切なセッションを確立するセッション確立手段と、
前記確立されたセッションを介して音声情報を含む会議データをやり取りする通信手段とを備え、
前記複数のユーザ端末のいずれかに、前記確立されたセッションを経由してやり取りされる音声情報をミキシングし、前記各ユーザ端末に適切な音声情報を配信するミキシング手段を備えた
ことを特徴とする多地点会議システム。
【請求項２】
請求項１に記載の多地点会議システムにおいて、
前記各ユーザ端末に備えられた設定情報収集手段は、
前記ミキシング手段を備えたユーザ端末に会議への参加を要求するメッセージと自端末のＩＰアドレスとを含む要求メールを送信する要求手段と、
前記ミキシング手段を備えたユーザ端末から返されたメールから前記ユーザ端末のＩＰアドレスとセッションの設定に必要な情報とを含む設定情報を抽出し、自端末の前記セッション確立手段の処理に供する抽出手段とを備え、
前記ミキシング手段を有するユーザ端末に備えられた設定情報収集手段は、
前記要求メールの受信に応じて、前記要求メールの送信元に、自身のＩＰアドレスと前記セッションの設定に必要な情報とを含む設定情報を含んだ応答メールを返送するとともに、前記送信元のＩＰアドレスと前記セッションの設定に必要な情報とを前記自端末のセッション確立手段の処理に供する設定情報送出手段とを備えた
ことを特徴とする多地点会議システム。
【請求項３】
請求項１に記載の多地点会議システムにおいて、
少なくとも一つのユーザ端末に備えられた設定情報収集手段は、
会議に参加すべきユーザ端末のメールアドレスからなるアドレスリストとに会議への参加を要求するメッセージと自端末のＩＰアドレスとを含む要求メールを、前記ミキシング手段を備えたユーザ端末に送信する参加要求手段と、
前記ミキシング手段を備えたユーザ端末から返されたメールから前記ユーザ端末のＩＰアドレスとセッションの設定に必要な情報とを含む設定情報を抽出し、自端末の前記セッション確立手段の処理に供する抽出手段とを備え、
前記ミキシング手段を有するユーザ端末に備えられた設定情報収集手段は、
前記要求メールから前記アドレスリストを抽出するリスト抽出手段と、
前記アドレスリストで示されるメールアドレスを宛先として、前記会議への参加を呼びかける呼び出しメールを配信する呼び出し手段と、
前記呼び出しメールに対して前記会議に参加する旨の応答を返したユーザ端末を宛先として、自身のＩＰアドレスと前記セッションの設定に必要な情報とを含む設定情報を含んだ応答メールを配信する設定情報配信手段と、
前記呼び出しメールに対して応答したユーザ端末および要求元のユーザ端末に対応するＩＰアドレスと前記セッションの設定に必要な情報とを前記自端末のセッション確立手段の処理に供するアドレス収集手段とを備え、
他のユーザ端末に備えられた設定情報収集手段は、
前記呼び出しメールの受信に応じて、前記会議に参加するか否かを示す情報と自端末のＩＰアドレスと前記セッションの設定に必要な情報とを含む設定情報を含むメールを返信する返信手段と、
前記ミキシング手段を備えたユーザ端末から返されたメールから前記ユーザ端末のＩＰアドレスとセッションの設定に必要な情報とを含む設定情報を抽出し、自端末の前記セッション確立手段の処理に供する抽出手段とを備えた
ことを特徴とする多地点会議システム。
【請求項４】
請求項１に記載の多地点会議システムにおいて、
少なくとも一つのユーザ端末に備えられた設定情報収集手段は、
会議に参加すべきユーザ端末のメールアドレスおよびＩＰアドレスからなるアドレスリストと会議への参加を要求するメッセージと自端末のＩＰアドレスとを含む要求メールを、前記ミキシング手段を備えたユーザ端末に送信する参加要求手段と、
前記ミキシング手段を備えたユーザ端末から返されたメールから前記ユーザ端末のＩＰアドレスとセッションの設定に必要な情報とを含む設定情報を抽出し、自端末の前記セッション確立手段の処理に供する抽出手段とを備え、
前記ミキシング手段を有するユーザ端末に備えられた設定情報収集手段は、
前記参加要求メールから前記アドレスリストを抽出するリスト抽出手段と、
前記アドレスリストで示されるメールアドレスを宛先として、前記会議への参加を指示する参加指示メッセージとともに自身のＩＰアドレスと前記セッションの設定に必要な情報とを含む設定情報を含んだ参加指示メールを配信する参加指示配信手段と、
前記アドレスリストに含まれるＩＰアドレスと前記セッションの設定に必要な情報とを前記自端末のセッション確立手段の処理に供する設定制御手段とを備え、
他のユーザ端末に備えられた設定情報収集手段は、
前記参加指示メールから前記ミキシング手段を有するユーザ端末のＩＰアドレスとセッションの設定に必要な情報とを含む設定情報と前記参加指示メッセージを抽出し、前記設定情報を自端末の前記セッション確立手段の処理に供する指示抽出手段と、
前記指示抽出手段による前記参加指示メッセージの抽出に応じて、前記セッション確立手段にセッションの確立処理の実行を指示する確立指示手段とを備えた
ことを特徴とする多地点会議システム。
【請求項５】
ＩＰネットワークを介して複数のユーザ端末を接続し、音声情報を含む会議データを授受するための多地点会議システムにおいて、
前記少なくとも一つのユーザ端末は、
メールの送受信によって前記会議データを授受するために必要なセッションに関する設定情報を授受する設定情報収集手段と、
前記設定情報に基づいて、音声情報を含む会議データを授受のための適切なセッションを確立するセッション確立手段と、
前記会議データを授受するためのセッションをＳＩＰに従ってセッションの確立を管理するＳＩＰ管理手段と、
前記確立されたセッションを介して音声情報を含む会議データをやり取りする通信手段と、
前記確立されたセッションを経由してやり取りされる音声情報をミキシングし、前記各ユーザ端末に適切な音声情報を配信するミキシング手段とを備え、
他の少なくとも一つのユーザ端末は、
メールの送受信によって前記会議データを授受するために必要なセッションに関する設定情報を授受する設定情報収集手段と、
前記設定情報に基づいて、音声情報を含む会議データを授受のための適切なセッションを確立するセッション確立手段と、
前記確立されたセッションを介して音声情報を含む会議データをやり取りする通信手段とを備え、
別の少なくとも一つのユーザ端末は、
前記会議データを授受するためのセッションをＳＩＰに従ってセッションの確立を管理するＳＩＰ管理手段と、
前記確立されたセッションを介して音声情報を含む会議データをやり取りする通信手段とを備えた
ことを特徴とする多地点会議システム。
【発明の詳細な説明】
【技術分野】
【０００１】
本発明は、ＩＰネットワークを介して、それぞれが離れた場所にある個人の自宅などの小規模なパソコンを結び、音声を含む情報のやり取りを可能とする多地点会議システムに関する。
ＩＰネットワークの普及が進み、また、ＩＰネットワークを経由する通信速度を向上するための技術および一般の利用者が購入するパソコンの機能の向上も急速に進んでいる。
【０００２】
つまり、個人のパソコンのような小規模のシステムとＩＰネットワークとの組み合わせにより、電子会議システムの実現に必要な音声情報を含む大量の情報のやり取りを処理するために十分なポテンシャルをもつに至っている。
また一方、在宅勤務している従業員と勤務先との連絡やいわゆるＳＯＨＯ相互間の情報交換などのために、様々な地点に散在している小規模のシステムを結ぶ多地点会議システムが必要とされている。
【背景技術】
【０００３】
従来の多地点会議システムは、例えば、企業の本店と支店とにそれぞれ設置された高機能のコンピュータシステムの間に、ＳＩＰ(Session Initiation Protocol)プロトコルに従ってセッションを形成し、これらのセッションを介して音声を含む情報のやり取りを行うことで実現されている。
図８に、従来の多地点会議システムの構成例を示す。
【０００４】
図８に示すように、従来の多地点会議システムでは、ネットワーク側にＳＩＰサーバ４０１と多地点通信制御装置（ＭＣＵ）４０３とが用意されており、ユーザ端末４０２1あるいはユーザ端末４０２2からの要求に応じて、このＳＩＰサーバ４０１により、要求元のユーザ端末４０２とＭＣＵ４０３との間に音声および画像情報をやり取りするためのセッションが形成されている。
【０００５】
各ユーザ端末４０２1、４０２2において、電子会議処理部４１１は、利用者に電子会議機能を提供するための入出力処理を行い、また、ＳＩＰインタフェース４１２は、電子会議処理部４１１とＳＩＰサーバ４０１との間で、ＳＩＰに基づくセッション管理に必要なメッセージのやり取りを仲介する。
例えば、ユーザ端末４０２ａの利用者Ａがユーザ端末４０２ｂの利用者Ｂを呼び込んで会議を開催しようとする場合に、図９に示すように、まず、ユーザ端末４０２ａからの呼び出し依頼メッセージ(図９において、符号ＩＮＶＩＴＥとして示した)に応じて、ＳＩＰサーバ４０１が、ＭＣＵ４０３との間で所定の手順でメッセージのやり取りを行うことにより、ユーザ端末４０２ａとＭＣＵ４０３との間のセッションが形成される(図８において、太い矢印で示す)。
【０００６】
次いで、ユーザ端末４０２ａからの要求に応じて、インスタントメッセージサーバ(ＩＭサーバ)４０４により、ユーザ端末４０２ｂを呼び込むためのメッセージが送信され、これに応じて、今度は、ユーザ端末４０２ｂとＳＩＰサーバ４０１とＭＣＵ４０３との間で同様のメッセージのやり取りが行われ、ユーザ端末４０２ｂとＭＣＵ４０３との間のセッションが形成される。
【０００７】
このようにして形成されたセッションを介してユーザ端末４０２ａ、４０２ｂからそれぞれ送出される音声は、ＭＣＵ４０３によってミキシングされ、各ユーザ端末４０２ａ、４０２ｂにそれぞれ相手の音声にかかわる情報および画像情報が配信され、入出力装置４１３を介して利用者に提供される。
また、ＩＰネットワーク上のＶｏＩＰサービスで実現される音声通話セッションに、ネットワーク事業者やアプリケーションサービス事業者を割り込ませることで、多者会議状態を実現する方法も提案されている(特許文献１参照)。
【特許文献１】特開２００４−２４１９５４号公報
【発明の開示】
【発明が解決しようとする課題】
【０００８】
上述したように、従来の多地点会議システムでは、ネットワーク側にＳＩＰサーバ４０１やＭＣＵ４０３などの設備を整えるとともに、ユーザ端末となるパソコンそれぞれもＳＩＰに対応するためのＳＩＰインタフェース４１２を備える必要がある。
ところで、ＳＩＰは、本来、音声通話やビデオ通話などを含む様々なセッションの確立および解放を厳密に管理するためのプロトコルである。このため、ＳＩＰサーバ４０２やＳＩＰインタフェース４１２には、多種多様なセッションを安全に管理するための様々な機能が組み込まれており、これらの機能の中には、単に多地点会議を実現するだけならば使われない機能もある。
【０００９】
また一方、例えば、英会話教室のグループレッスンサービスを多地点会議システムによって提供しようとする場合のように、必ずしもＳＩＰによって担保されるような高度なセキュリティを必要としない場合もある。このような用途に適用される多地点会議システムでは、通信の安全性よりも、むしろ、多地点会議システムの実現に要するコストが重要視されている。
【００１０】
本発明は、低コストで実現可能な多地点会議システムを提供することを目的とする。
【課題を解決するための手段】
【００１１】
本発明にかかわる第１の多地点会議システムは、複数のユーザ端末のそれぞれに設定情報収集手段とセッション確立手段と通信手段とを備え、これらのユーザ端末のいずれかにミキシング手段を備えて構成される。
本発明にかかわる第１の多地点会議システムの原理は、以下の通りである。
ＩＰネットワークを介して複数のユーザ端末を接続し、音声情報を含む会議データを授受するための多地点会議システムに備えられる複数のユーザ端末それぞれにおいて、設定情報収集手段は、メールの送受信によって会議データを授受するために必要なセッションに関する設定情報を授受する。セッション確立手段は、設定情報に基づいて、音声情報を含む会議データを授受のための適切なセッションを確立する。通信手段は、確立されたセッションを介して音声情報を含む会議データをやり取りする。複数のユーザ端末のいずれかにおいて、ミキシング手段は、確立されたセッションを経由してやり取りされる音声情報をミキシングし、各ユーザ端末に適切な音声情報を配信する。
【００１２】
このように構成された第１の多地点会議システムの動作は、下記の通りである。
各ユーザ端末に備えられた設定情報収集手段により、確立すべきセッションに関する設定情報がメール送受信機能を利用して収集され、セッション確立手段によるセッション確立処理に供される。例えば、特定の識別情報をサブジェクト名に付加したメールに、会議への参加者を特定する情報(例えば、ＩＰアドレス)やＳＤＰ(Session Description Protocol)情報を含めて、自分以外の会議への参加者に送信し、相手から対応する情報を得ることにより、多地点会議を実現するために確立すべきセッションに関する設定情報を収集することができる。
【００１３】
このようにして収集された設定情報に基づいて、セッション確立手段によって適切なセッションが形成され、これらのセッションを介して会議データが各ユーザ端末に備えられた通信手段によって授受される。この過程において、会議データに含まれる音声情報は、複数のユーザ端末の一つに備えられたミキシング手段によってミキシングされ、各ユーザ端末に、それぞれに対応する参加者以外の音声に関するミキシング結果に相当する音声情報が配信される。
【００１４】
本発明にかかわる第２の多地点会議システムは、上述した第１の多地点会議システムに備えられた設定情報収集手段に、要求手段と、抽出手段と、設定情報送出手段とを備えて構成される。
本発明にかかわる第２の多地点会議システムの原理は、以下の通りである。
上述した第１の多地点会議システムを形成する各ユーザ端末に備えられた設定情報収集手段において、要求手段は、ミキシング手段を備えたユーザ端末に会議への参加を要求するメッセージと自端末のＩＰアドレスとを含む要求メールを送信する。抽出手段は、ミキシング手段を備えたユーザ端末から返されたメールからユーザ端末のＩＰアドレスとセッションの設定に必要な情報とを含む設定情報を抽出し、自端末のセッション確立手段の処理に供する。ミキシング手段を有するユーザ端末に備えられた設定情報収集手段において、設定情報送出手段は、要求メールの受信に応じて、要求メールの送信元に、自身のＩＰアドレスとセッションの設定に必要な情報とを含む設定情報を含んだ応答メールを返送するとともに、送信元のＩＰアドレスとセッションの設定に必要な情報とを自端末のセッション確立手段の処理に供する。
【００１５】
このように構成された第２の多地点会議システムの動作は、下記の通りである。
各ユーザ端末の設定情報収集手段に備えられた要求手段からの送出された要求メールがミキシング手段を有するユーザ端末(以下、ホスト端末と称する)に到達すると、このホスト端末の設定情報収集手段に備えられた設定情報送出手段により、少なくともホスト端末のＩＰアドレスとセッションの設定に必要なＳＤＰ情報とからなる設定情報を含んだ応答メールが、要求元のユーザ端末に返送される。
【００１６】
要求元のユーザ端末の設定情報収集手段に備えられた抽出手段により、この応答メールに含まれた設定情報が抽出され、このユーザ端末のセッション確立手段の処理に供され、また一方、設定情報送出手段により、要求元のユーザ端末のＩＰアドレスとＳＤＰ情報とが、ホスト端末のセッション確立手段の処理に供される。このようにして得られた設定情報に基づいて、要求元のユーザ端末及びホスト端末にそれぞれ備えられたセッション確立手段が動作することにより、要求元のユーザ端末とホスト端末との間に音声を含む会議データを授受するための適切なセッションが設定される。
【００１７】
本発明にかかわる第３の多地点会議システムは、上述した第１の多地点会議システムに備えられた設定情報収集手段に、参加要求手段と、抽出手段と、リスト抽出手段と、呼び出し手段と、設定情報配信手段と、アドレス収集手段と、返信手段とを備えて構成される。
本発明にかかわる第３の多地点会議システムの原理は、以下の通りである。
【００１８】
上述した第１の多地点会議システムを形成する少なくとも一つのユーザ端末に備えられた設定情報収集手段において、参加要求手段は、会議に参加すべきユーザ端末のメールアドレスからなるアドレスリストとに会議への参加を要求するメッセージと自端末のＩＰアドレスとを含む要求メールを、ミキシング手段を備えたユーザ端末に送信する。抽出手段は、ミキシング手段を備えたユーザ端末から返されたメールからユーザ端末のＩＰアドレスとセッションの設定に必要な情報とを含む設定情報を抽出し、自端末のセッション確立手段の処理に供する。
【００１９】
ミキシング手段を有するユーザ端末に備えられた設定情報収集手段において、リスト抽出手段は、要求メールからアドレスリストを抽出する。呼び出し手段は、アドレスリストで示されるメールアドレスを宛先として、会議への参加を呼びかける呼び出しメールを配信する。設定情報配信手段は、呼び出しメールに対して会議に参加する旨の応答を返したユーザ端末を宛先として、自身のＩＰアドレスとセッションの設定に必要な情報とを含む設定情報を含んだ応答メールを配信する。アドレス収集手段は、呼び出しメールに対して応答したユーザ端末および要求元のユーザ端末に対応するＩＰアドレスとセッションの設定に必要な情報とを自端末のセッション確立手段の処理に供する。
【００２０】
他のユーザ端末に備えられた設定情報収集手段において、返信手段は、呼び出しメールの受信に応じて、会議に参加するか否かを示す情報と自端末のＩＰアドレスとセッションの設定に必要な情報とを含む設定情報を含むメールを返信する。抽出手段は、ミキシング手段を備えたユーザ端末から返されたメールからユーザ端末のＩＰアドレスとセッションの設定に必要な情報とを含む設定情報を抽出し、自端末のセッション確立手段の処理に供する。
【００２１】
このように構成された第３の多地点会議システムの動作は、下記の通りである。
ユーザ端末のいずれかに備えられた参加要求手段によって送出された要求メールに含まれているアドレスリストが、ホスト端末に備えられたリスト抽出手段によって抽出される。このようにして抽出されたアドレスリストで示されたメールアドレスに対応するユーザ端末に、ホスト端末の呼び出し手段により、呼び出しメールが配信され、この呼び出しメールに対して、宛先となった各ユーザ端末の返信手段による返信が行われる。
【００２２】
上述した呼び出しメールへの返信として会議に参加する旨を示す情報を含むメールが返された場合に、設定情報配信手段により、これらのメールの送信元に設定情報が配信され、また、これらのユーザ端末に対応する設定情報(例えば、各ユーザ端末のＩＰアドレスとそれぞれのＳＤＰ情報)がホスト端末のセッション確立手段の処理に供される。一方、上述したようにして各ユーザ端末に配信された設定情報は、これらのユーザ端末に備えられた抽出手段によって抽出され、それぞれのセッション確立手段の処理に供される。
【００２３】
このようにして、ホスト端末が他のユーザ端末に呼び出しメールを配信し、これに対する応答を取りまとめることにより、ホスト端末と会議に参加する各ユーザ端末との間で設定情報を交換し、会議データの授受に必要なセッションを確立することができる。
本発明にかかわる第４の多地点会議システムは、上述した第１の多地点会議システムを形成する少なくとも一つのユーザ端末に備えられた設定情報収集手段に、参加要求手段と、抽出手段とを備え、ミキシング手段を有するユーザ端末に備えられた設定情報収集手段にリスト抽出手段と、参加指示配信手段と、設定制御手段とを備え、各ユーザ端末に備えられた設定情報収集手段に、指示抽出手段と、確立指示手段とを備えて構成される。
【００２４】
本発明にかかわる第４の多地点会議システムの原理は、以下の通りである。
上述した第１の多地点会議システムに属する少なくとも一つのユーザ端末に備えられた設定情報収集手段において、参加要求手段は、会議に参加すべきユーザ端末のメールアドレスおよびＩＰアドレスからなるアドレスリストと会議への参加を要求するメッセージと自端末のＩＰアドレスとを含む要求メールを、ミキシング手段を備えたユーザ端末に送信する。抽出手段は、ミキシング手段を備えたユーザ端末から返されたメールからユーザ端末のＩＰアドレスとセッションの設定に必要な情報とを含む設定情報を抽出し、自端末のセッション確立手段の処理に供する。また、ミキシング手段を有するユーザ端末に備えられた設定情報収集手段において、リスト抽出手段は、参加要求メールからアドレスリストを抽出する。参加指示配信手段は、アドレスリストで示されるメールアドレスを宛先として、会議への参加を指示する参加指示メッセージとともに自身のＩＰアドレスとセッションの設定に必要な情報とを含む設定情報を含んだ参加指示メールを配信する。設定制御手段は、アドレスリストに含まれるＩＰアドレスとセッションの設定に必要な情報とを自端末のセッション確立手段の処理に供する。他のユーザ端末に備えられた設定情報収集手段において、指示抽出手段は、参加指示メールからミキシング手段を有するユーザ端末のＩＰアドレスとセッションの設定に必要な情報とを含む設定情報と参加指示メッセージを抽出し、設定情報を自端末のセッション確立手段の処理に供する。確立指示手段は、指示抽出手段による参加指示メッセージの抽出に応じて、セッション確立手段にセッションの確立処理の実行を指示する。
【００２５】
このように構成された第４の多地点会議システムの動作は、下記の通りである。
複数のユーザ端末のいずれかから参加要求メールが送出され、ミキシング手段を備えたホスト端末の設定情報収集手段に渡され、アドレス抽出手段により、この参加要求メールからアドレスリストが抽出される。このアドレスリストに基づいて、ホスト端末の設定情報収集手段に備えられた参加指示配信手段により、配信処理を行うことにより、設定情報と参加指示メッセージを含む参加指示メールが、会議に参加すべきユーザ端末それぞれに配信される。
【００２６】
このようにして配信された参加指示メールの受信に応じて、指示抽出手段により、上述したホスト端末との間のセッションを確立するために必要な設定情報が抽出され、セッション確立手段の処理に供されるとともに、確立指示手段により、セッション確立手段に対してセッション確立処理の実行が指示される。これにより、参加指示メールを受信したユーザ端末を、強制的に会議状態に遷移させる。
【００２７】
本発明にかかわる第５の多地点会議システムは、設定情報収集手段とセッション確立手段とＳＩＰ管理手段と通信手段およびミキシング手段とを備えた少なくとも一つのユーザ端末と、設定情報収集手段とセッション確立手段と通信手段とを備えた別の少なくとも一つのユーザ端末と、ＳＩＰ管理手段と通信手段とを備えた更に別の少なくとも一つのユーザ端末とから構成される。
【００２８】
本発明にかかわる第５の多地点会議システムの原理は、以下の通りである。
ＩＰネットワークを介して複数のユーザ端末を接続し、音声情報を含む会議データを授受するための多地点会議システムに属する少なくとも一つのユーザ端末において、設定情報収集手段は、メールの送受信によって会議データを授受するために必要なセッションに関する設定情報を授受する。セッション確立手段は、設定情報に基づいて、音声情報を含む会議データを授受のための適切なセッションを確立する。ＳＩＰ管理手段は、会議データを授受するためのセッションをＳＩＰに従ってセッションの確立を管理する。通信手段は、確立されたセッションを介して音声情報を含む会議データをやり取りする。ミキシング手段は、確立されたセッションを経由してやり取りされる音声情報をミキシングし、各ユーザ端末に適切な音声情報を配信する。また、他の少なくとも一つのユーザ端末において、設定情報収集手段は、メールの送受信によって会議データを授受するために必要なセッションに関する設定情報を授受する。セッション確立手段は、設定情報に基づいて、音声情報を含む会議データを授受のための適切なセッションを確立する。通信手段は、確立されたセッションを介して音声情報を含む会議データをやり取りする。更に、別の少なくとも一つのユーザ端末において、ＳＩＰ管理手段は、会議データを授受するためのセッションをＳＩＰに従ってセッションの確立を管理する。通信手段は、確立されたセッションを介して音声情報を含む会議データをやり取りする。
【００２９】
このように構成された第５の多地点会議システムの動作は、下記の通りである。
メールによる設定情報収集機能を備えた各ユーザ端末とホスト端末との間で会議データを授受するためのセッションが確立されるのと並行して、ＳＩＰ管理手段を備えたユーザ端末とホスト端末との間において、それぞれに備えられたＳＩＰ管理手段によって、会議データを授受するためのセッションがＳＩＰに従って確立される。このように、ホスト端末に、設定情報収集手段とＳＩＰ管理手段との双方を備えることにより、メールによる設定情報収集機能を持つユーザ端末とＳＩＰによるセッション管理機能を持つユーザ端末とを混在させて会議を実現することができる。
【発明の効果】
【００３０】
上述したように、本発明にかかわる多地点会議システムでは、従来の多地点会議システムにおいてＳＩＰに従って授受されていた設定情報を、メール機能を利用してミキシング機能を備えたホスト端末から他のユーザ端末に配信することにより、音声情報を含む会議データを授受するために必要なセッションを各ユーザ端末とホスト端末との間で設定することが可能である。これにより、ネットワーク側にＳＩＰサーバを設ける必要性とともに、多地点会議に参加する各ユーザ端末にＳＩＰ対応の機能を設ける必要性をなくすることができるので、低コストで多地点会議システムを実現することができる。
【００３１】
この際に、ミキシング機能を有するホスト端末と会議に参加する各ユーザ端末との間にそれぞれセッションが確立されるので、ホスト端末に備えられたミキシング機能により、会議に参加する全てのユーザにかかわる音声情報を漏れなくミキシングし、適切に配信することができる。
また、メール機能による設定情報のやり取りの際に、会議参加要求に対する応答を待ってホスト端末から設定情報を配信することにより、各ユーザ端末を利用する利用者の自由意志によって会議への参加不参加が決定できる多地点会議システムを実現することができる。その一方、参加指示メッセージとともに設定情報を各ユーザ端末に配信し、これらのユーザ端末を強制的に会議に参加させることが可能な多地点会議システムを構成することも可能である。
【００３２】
更に、ホスト端末に、ＳＩＰに従ってセッションを確立する機能とメール機能を利用してセッションを確立する機能との双方を備えることにより、ＳＩＰインタフェースを持つユーザ端末とこれの代わりにメール機能によって設定情報を収集する機能を備えた端末とが混在する多地点会議システムを実現することができる。
【発明を実施するための最良の形態】
【００３３】
以下、図面に基づいて、本発明の実施形態について詳細に説明する。
（第１の実施形態）
図１に、本発明にかかわる多地点会議システムの第１の実施形態を示す。
なお、図１に示す構成要素のうち、図８に示した各部と同等のものについては、図８に示した符号を付して示し、その説明を省略する。
【００３４】
図１に示したホスト端末２１０において、会議データ処理部２１１は、音声・画像通信部２１３によって授受される音声情報および画像情報を含む会議データに基づいて、入出力装置４１３を介して、利用者に会議にかかわる音声および画像を提供する処理を行う。また、図１に示した入出力装置４１３を介して利用者が入力した会議にかかわる指示は、会議データ処理部２１１を介して多地点会議接続インタフェース(Ｉ／Ｆ)２１２に渡され、会議データを授受するためのセッション確立処理に供される。また、この多地点会議接続インタフェース２１２は、上述した入出力装置４１３との間で後述するポップアップ処理などのためのインタフェースも備えている。
【００３５】
また、このホスト端末２１０に備えられた接続制御部２１４および図１に示したユーザ端末２２０に備えられた接続制御部２２１は、それぞれメール送受信部２１５およびメールサーバ２０１を介して所定の手順に従ってメールのやり取りを行うことにより、ホスト端末２１０とユーザ端末２２０との間に会議データを授受するセッションを確立するために必要な設定情報を収集する。
【００３６】
このようにして収集された設定情報は、多地点会議接続インタフェース２１２を介して音声・画像通信部２１３の処理に供され、これに応じて、ホスト端末２１０の音声・画像通信部２１３とユーザ端末２２０の音声・画像通信部２１３との間に会議データの授受に必要なセッションが確立される(図１において、太い実線で示した)。
また、図１に示したミキシング処理部２１６は、上述したセッションを介して授受される音声情報に関するミキシング処理を行い、ホスト端末２１０の音声・画像通信部２１３を介して、各会議データ処理部２１１に適切な音声情報を配信する。
【００３７】
次に、上述した接続制御部２１４、２２１の詳細な構成とともに、メールによって設定情報を収集する動作を詳細に説明する。
図２に、接続制御部の詳細構成を示す。また、図３に、メール機能によるセッション確立動作を示すシーケンス図を示す。
図２に示したユーザ端末２２０ａ、２２０ｂは、図１に示した２つのユーザ端末２２０に相当するものであり、図２においては、ユーザ端末２２０ａの詳細構成のみを示し、ユーザ端末２２０ｂの詳細構成の図示は省略した。
【００３８】
ここでは、図２に示したユーザ端末２２０ａに備えられた会議データ処理部２１１を介して、ホスト端末２１０およびユーザ端末２２０ｂを呼び込んで会議を開催する旨が指示された場合を例にとって、これらのユーザ端末２２０ａ，２２０ｂとホスト端末２１０との間に会議データを授受するためのセッションを設定する動作について説明する。
上述した指示の入力に応じて、多地点会議接続インタフェース２１２により、会議の開催に必要なセッションに関する設定情報の収集処理が、接続制御部２２１に依頼される。
【００３９】
これに応じて、接続制御部２２１の手順制御部２２２は、例えば、情報管理部２２６に備えられたメールアドレス管理テーブから、指定されたホスト端末２１０およびユーザ端末２２０ｂとともに自端末(つまりユーザ端末２２０ａ)のメールアドレスを検索し、これらのメールアドレスからなるアドレスリストをメッセージ作成部２２３に渡すとともに、ホスト端末２１０宛てに、会議開催要求メールの送信を指示する。
【００４０】
このとき、メッセージ作成部２２３は、例えば、「＆会議用メール＆」のように、予め決定した形式で会議用のセッション設定のためのメールであることを示すサブジェクト名を付したメールを作成し、このメールの本文内に、上述したアドレスリストに基づいて、予め決定した形式で、会議参加者全員のメールアドレスと会議の開催を要求する旨の開催要求メッセージとを記述する。
【００４１】
このようにして作成された会議開催要求メールは、ホスト端末２１０のメールアドレスを宛先として、メール送受信部２１５により、ネットワークに送出され、メールサーバ２０１を介してホスト端末２１０に送達される(図３参照)。
このとき、図２に示したホスト端末２１０のメール送受信部２１５は、例えば、定期的なメールチェックの際に自端末宛てに届いたメールのサブジェクト名をメッセージ検出部２２４に渡し、これらのサブジェクト名のなかに上述した特定のサブジェクト名(例えば、「＆会議用メール＆」)が含まれていたときに、メッセージ検出部２２４は、会議開催に関するメールを検出したと判断して、メール送受信部２１５を介して該当するメールを受け取り、情報抽出部２２５の処理に供する。
【００４２】
この情報抽出部２２５は、上述したメールの本文から会議参加者全員のメールアドレスを示すアドレスリスト(図３においては、リストmailとして示した)と開催要求メッセージとを抽出してホスト端末２１０に備えられた手順制御部２１７に渡す。これに応じて、この手順制御部２１７は、まず、例えば、多地点会議接続インタフェース２１２に、図１に示した入出力装置４１３に会議開催に関するウィンドウをポップアップさせる処理を行わせ、ホスト端末２１０の利用者に会議開催要求を受け取った旨を通知するとともに、会議への参加が可能であるか否かを問い合わせる。次いで、手順制御部２１７は、利用者が入出力装置４１３を操作して入力した応答を、多地点会議接続インタフェース２１２を介して受け取り、この応答の内容に基づいて、会議状態への移行が可能であるか否かを判断し、移行可能である場合に、受け取ったアドレスリストを情報管理部２１８に保持するとともに、会議参加者に対する呼び込み処理を開始する。
【００４３】
まず、この手順制御部２１７は、メッセージ作成部２１９に、上述したアドレスリストで示されるメールアドレスを宛先として指定して、会議参加要求メールの作成を指示する。これに応じて、メッセージ作成部２１９により、上述したような特定の形式のサブジェクト名を付され、本文にホスト端末のＩＰアドレス(ＡＤh)およびＳＤＰ情報(ＳＤＰh)を含む設定情報が記述された参加要求メールが作成され、この参加要求メールが、メール送受信部２１５を介してネットワークに送出される(図３参照)。
【００４４】
もちろん、この参加要求メールの宛先フィールドに、上述したアドレスリストで示されたホスト端末２１０以外の全てのユーザ端末２２０(例えば、ユーザ端末２２０ａ、２２０ｂ)のメールアドレスを記述しておけば、メールサーバ２０１の機能を利用して、複数のユーザ端末２２０に同一の参加要求メールを同報配信することができる(図３参照)。
このようにして配信された参加要求メールは、図２に示した各ユーザ端末２２０のメール送受信部２１５により、定期的なメールチェックなどの際に受信され、上述した特定のサブジェクト名に基づくメッセージ検出部２２４による検出処理によって検出されて、情報抽出部２２５の処理に供される。
【００４５】
上述した参加要求メールに含まれるホスト端末２１０のＩＰアドレスおよびＳＤＰ情報は、情報抽出部２２５によって抽出され、手順処理部２２２に渡される。このとき、手順処理部２２２は、多地点会議接続インタフェース２１２を介して上述したポップアップ処理による利用者への問い合わせを行い、利用者からの応答に基づいて、会議状態への移行が可能であるか否かを判断し、移行が可能である場合に、次に述べる応答処理を実行する。
【００４６】
手順制御部２２２は、上述した参加要求メールの送信元(つまり、ホスト端末２１０)への応答メールの作成をメッセージ作成部２２３に指示するとともに、参加要求メールから抽出された設定情報を、多地点会議接続インタフェース２１２を介して図１に示した音声・画像通信部２１３に渡し、会議データを授受するためのセッションの設定に供する。
上述した指示に応じて、メッセージ作成部２２３により、上述した特定の形式のサブジェクト名を有し、会議に参加する旨の許諾メッセージと自端末(ユーザ端末２２０ａ)のＩＰアドレス(ＡＤa)およびＳＤＰ情報(ＳＤＰa)とが本文に記述された応答メールが作成され、メール送受信部２１５により、ホスト端末２１０を宛先としてネットワークに送出される(図３参照)。
【００４７】
図２に示したホスト端末２１０の接続制御部２１４において、メッセージ検出部２２４および情報抽出部２２５により、このようにして各ユーザ端末２２０ａ、２２０ｂから返された応答メールから上述したユーザ端末２２０ａ、２２０ｂのＩＰアドレス(ＡＤa，ＡＤb)およびそれぞれのＳＤＰ情報(ＳＤＰa，ＳＤＰb)が抽出され、情報管理部２１８に保持されるとともに、多地点会議接続インタフェース２１２を介してホスト端末２１０の音声・画像通信部２１３(図１参照)に渡され、会議データを授受するためのセッションの設定に供される。
【００４８】
このようにして、図１に太い矢印で示したように、ホスト端末２１０と２つのユーザ端末２２０ａ、２２０ｂのそれぞれとを結ぶセッションがそれぞれ設定され、このセッションを介して音声および画像を含む会議データの授受が開始される(図３参照)。
上述したように、図１に示したホスト端末２１０と各ユーザ端末２２０との間で、メール機能を利用して、ＩＰアドレスおよびＳＤＰ情報をやり取りすることにより、これらの端末それぞれにおいて、会議データの授受に用いるセッションにかかわる設定情報を収集して、必要なセッションを確立することが可能である。
【００４９】
これにより、ネットワークにＳＩＰサーバが設置されているか否かにかかわらず、ＳＩＰ機能を持たないユーザ端末を結んで多地点会議を実現することができる。
なお、ホスト端末２１０および各ユーザ端末２２０ａ、２２０ｂにおいて、会議状態に移行できないと判断された場合に、それぞれの接続制御部２１４、２２１は、会議に参加できない旨の拒否メッセージを含み、上述した特定の形式のサブジェクト名を持つ拒否メールを作成し、ネットワークに送出するとともに、それぞれにおける多地点接続のための処理を中断し、会議状態へは移行しない。
【００５０】
したがって、例えば、ユーザ端末２２０ａからは許諾メッセージを含んだ応答メールが返され、ユーザ端末２２０ｂから拒否メールが返された場合には、ホスト端末２１０とユーザ端末２２０ａとの間のセッションのみが設定され、これらの２者による会議が開催されることになる。
また、もちろん、ホスト端末２１０の利用者が発起人となり、このホスト端末２１０が自発的に他のユーザ端末２２０ａ、２２０ｂに参加要求メールを配信することにより、これらのユーザ端末２２０ａ２２０ｂの利用者を会議に参加させて、会議を開催することも可能である。
（第２の実施形態）
図４に、本発明にかかわる多地点会議システムの第２の実施形態を示す。また、図５に、メールによるセッション確立動作を説明するシーケンス図を示す。
【００５１】
なお、図４に示す構成要素のうち、図２に示した各部と同等のものについては、図２に示した符号を付して示し、その説明を省略する。
図４に示した多地点会議システムにおいて、少なくとも、会議の発起人に対応するユーザ端末２２０ａに備えられた接続制御部２２１は、少なくとも会議に参加すべき人物に対応するユーザ端末２２０それぞれについてメールアドレスに加えてＩＰアドレスを保持するアドレステーブル２２７を備えている。
【００５２】
以下、このようなアドレステーブル２２７を備えたユーザ端末２２０ａが、ホスト端末２１０および他のユーザ端末２２０ｂを強制的に参加させて会議を開催する方法について説明する。
多地点会議接続インタフェース２１２を介して、指定されたユーザ端末２２０を会議に強制的に参加させる旨の参加指示要求が入力されたときに、手順制御部２２２は、まず、情報管理部２２６を介して上述したアドレステーブルから該当するユーザ端末２２０のメールアドレスおよびＩＰアドレスを収集する。
【００５３】
これらのアドレスは、会議の強制開催を指示する開催指示メールの作成依頼とともにメッセージ作成部２２３に渡され、これに応じて、このメッセージ作成部２２３により、上述した特定の形式のサブジェクト名を持ち、本文中に会議の強制開催を指示する旨の開催指示メッセージと会議参加者のメールアドレスおよびＩＰアドレスからなるアドレスリスト(リストIP)を含む開催指示メールが作成される。
【００５４】
このようにして作成された開催指示メールは、上述した会議開催要求メールと同様にして、図５に示すように、メールサーバ２０１を介してホスト端末２１０に渡され、メール送受信部２１５、メッセージ検出部２２４および情報抽出部２２５の動作により、上述した開催指示メッセージおよび会議参加者のメールアドレスおよびＩＰアドレスを含むアドレスリストが手順制御部２１７に渡される。
【００５５】
このようにして渡されたメールアドレスおよびＩＰアドレスは、手順制御部２１７を介して情報管理部２１８に保持され、このときのホスト端末２１０の状態にかかわらず、以下に述べる手順が開始される。
このとき、会議参加者を示すメールアドレスは、会議への参加を指示する参加指示メールの作成依頼とともにメッセージ作成部２１９に渡され、これに応じて、メッセージ作成部２１９により、上述した特定の形式のサブジェクト名を持ち、本文にこれらのメールアドレスと会議への参加を強制する旨の参加指示メッセージとに加えてホスト端末２１０のＩＰアドレス(ＡＤh)およびＳＤＰ情報(ＳＤＰh)を含む参加指示メールが作成される。
【００５６】
このようにして作成された参加指示メールは、上述した参加要求メールと同様にして、メール送受信部２１５およびメールサーバ２０１を介して、上述したアドレスリストで示された各ユーザ端末２２０ａ、２２０ｂに渡され、これらの参加指示メールに含まれるホスト端末２１０のＩＰアドレスおよびＳＤＰ情報と参加指示メッセージが、メール送受信部２１５、メッセージ検出部２２４および情報抽出部２２５の動作によって抽出され、対応する手順制御部２２２に渡される(図５参照)。
【００５７】
このようにして参加指示メッセージを受け取った手順制御部２２２により、即座に、ホスト端末２１０のＩＰアドレスおよびＳＤＰ情報が多地点接続インタフェース２１２および音声・画像通信部２１３によるセッション設定処理に供され、また、これとともに、応答メールを作成する旨がメッセージ作成部２２３に指示される。
この指示に応じて、このメッセージ作成部２２３により、上述した第１の実施形態と同様の応答メッセージが作成され、図５に示すように、メールサーバ２０１を介してホスト端末２１０に渡される。
【００５８】
そして、この応答メールから抽出されたＳＤＰ情報が、上述した会議開催指示メールによって通知された該当するＩＰアドレスとともに、図４に示した多地点接続インタフェース２１２および音声・画像通信部２１３によるセッション確立処理に供され、この応答メールの送信元のユーザ端末(例えば、ユーザ端末２２０ａ)との間のセッションが設定される(図５参照)。
【００５９】
このようにして、ユーザ端末２２０ａからの会議開催指示メールに応じて、ホスト端末２１０が各ユーザ端末２２０ａ、２２０ｂに参加指示メールを配信して、会議への参加を強制する旨の参加指示メッセージを渡し、これに応じて、各ユーザ端末２２０ａ、２２０ｂが、自動的にホスト端末２１０との間のセッション設定処理を実行することにより、ホスト端末２１０および各ユーザ端末２２０ａ、２２０ｂを強制的に会議に参加させることができる。
【００６０】
また、上述したようなアドレステーブル２２７をホスト端末２１０の接続制御部２１４内に設け、会議開催指示メッセージとともに受け取ったメールアドレスに対応するＩＰアドレスをこのアドレステーブル２２７から検索して、セッション確立処理に供することも可能である。
また、もちろん、ホスト端末２１０の利用者が発起人となって、このホスト端末２１０が自発的に他のユーザ端末２２０ａ、２２０ｂに参加指示メールを配信することにより、これらのユーザ端末２２０ａ２２０ｂの利用者を会議に強制的に参加させて、会議を開催することも可能である。
（第３の実施形態）
図６に、本発明にかかわる多地点会議システムの第３の実施形態を示す。
【００６１】
なお、図６に示す構成要素のうち、図１あるいは図８に示した各部と同等のものについては、図１あるいは図８に示した符号を付して示し、その説明を省略する。
図６に示したユーザ端末２３０は、図８に示したユーザ端末４０２と同様にＳＩＰインタフェース４１２を備えており、また、図１に示した多地点接続インタフェース２１２の代わりにＳＩＰ接続インタフェース(Ｉ／Ｆ)２３１を備えている。このＳＩＰ接続インタフェース２３１と会議データ処理部２１１および音声・画像通信部２１３とにより、図８に示した電子会議処理部４１１と同等の機能が果たされるので、このユーザ端末２３０は、図８に示したユーザ端末４０２と同様の構成であるといえる。
【００６２】
一方、図６に示したホスト端末２１０は、図１に示した多地点接続インタフェース２１２に代えて多地点会議管理処理部２３３を備えるとともに、端末管理テーブル２３２とＳＩＰインタフェース４１２を備えて構成される。この端末管理テーブル２３２には、ホスト端末を親端末とする全てのユーザ端末(ユーザ端末２２０、２３０を含む)について、それぞれの種別を示すクライアント識別子が、例えば、システム保守担当者によるコマンド入力などによって予め入力され、格納されている。例えば、ユーザ端末２２０については、メールによるセッション確立手順に対応しているメールクライアントである旨を示すクライアント識別子が、一方、ユーザ端末２３０については、ＳＩＰによるセッション確立手順に対応するＳＩＰクライアントである旨を示すクライアント識別子が、それぞれ端末管理テーブル２３２二格納されている。
【００６３】
以下、図６に示したホスト端末２１０に備えられた会議データ処理部２１１を介して、ユーザ端末２２０、２３０を呼び込んで会議を開催する旨が指示された場合を例にとって、これらのユーザ端末２２０、２３０とホスト端末２１０との間に会議データを授受するためのセッションを設定する動作について説明する。
図７に、セッション確立動作を説明するシーケンス図を示す。
【００６４】
図６に示した多地点会議管理処理部２３３は、会議参加者として指定されたユーザ端末２２０、２３０について、それぞれ端末管理テーブル２３２から対応する手順識別情報を検索し、得られた手順識別情報に基づいて、上述したメール機能を利用したセッション確立手順あるいは従来と同様のＳＩＰに従うセッション確立手順を開始させる。
例えば、ユーザ端末２２０に対応して、メールクライアントである旨のクライアント識別子が得られるので、これに応じて、多地点会議管理処理部２３３は、接続制御部２２２に、ユーザ端末２２０との間のセッションの設定処理を依頼する。これに応じて、上述した第１の実施形態と同様のメールのやり取りがユーザ端末２２０との間で行われ、得られた設定情報に基づいて、ホスト端末２１０とユーザ端末２２０との間に会議データを授受するためのセッションが設定される(図７参照)。
【００６５】
一方、ユーザ端末２３０に対応して端末管理テーブル２３２に保持されたクライアント識別子により、このユーザ端末２３０はＳＩＰクライアントである旨が示されるので、この検索結果に応じて、多地点会議管理処理部２３３は、ユーザ端末２３０については、ＳＩＰインタフェース４１２にＳＩＰに従うセッション確立手順の開始を指示する。
この指示に応じて、図６に白抜きの矢印で示したように、ＳＩＰインタフェース４１２とＳＩＰサーバ４０１との間およびＳＩＰサーバ４０１とユーザ端末２３０のＳＩＰインタフェース４１２との間で、ホスト端末２１０とユーザ端末２３０との間にセッションを確立するためのメッセージのやり取りが行われ(図７参照)、ホスト端末２１０とユーザ端末２３０との間に会議データを授受するためのセッションが設定される。
【００６６】
このように、ホスト端末２１０に備えられた多地点会議管理処理部２３３により、会議に参加する各ユーザ端末のクライアント種別に応じて、適切なセッション確立手順を用いてそれぞれのユーザ端末との間に、会議データを授受するためのセッションを確立することができる。これにより、メールによるセッション確立機能を持つユーザ端末とＳＩＰによるセッション確立機能を持つユーザ端末との双方を呼び込んで、多地点会議を実現することが可能である。
【産業上の利用可能性】
【００６７】
以上に説明したように、本発明の多地点会議システムによれば、一般の利用者が自宅に設置しているような小規模なパソコンにも確実に備えられているメール機能を利用して、多地点接続会議システムの実現に必要な会議データを授受するためのセッションを確立することができる。これにより、多地点接続会議を、ネットワーク側にＳＩＰサーバを設置するといった大規模な設備投資なしに実現することができるので、一般の利用者のパソコンを会議に参加するユーザ端末として想定した多地点会議システムを提供することができる。
【００６８】
このような多地点会議システムによれば、例えば、在宅勤務者と勤務先との連絡やＳＯＨＯ相互間の連携のための電子会議を極めて低いコストで実現することができるので、多地点会議システムの適用分野を大幅に拡大することが可能である。
上述したようなビジネス用との他にも、例えば、英会話スクールなどの分野において、様々な地域に在住する利用者を多地点会議システムによって結ぶことにより、利用者の居所に制限されることなく、グループレッスンなどの多彩なレッスンメニューを提供することが可能である。
【００６９】
また、医療や介護の現場にも、本発明にかかわる多地点会議システムを適用することができる。例えば、患者の自宅のパソコンと診療所のパソコンを本発明にかかわる多地点会議システムを利用して結んで在宅診療サービスを提供したり、要介護者の自宅のパソコンとケアマネージャの配属センタなどに設置されたパソコンを結んで、訪問サービスの代替をしたりすることも可能である。また、遠隔地の親世帯との連絡などにも利用することができる。
【図面の簡単な説明】
【００７０】
【図１】本発明にかかわる多地点会議システムの第１の実施形態を示す図である。
【図２】接続制御部の詳細構成を示す図である。
【図３】メール機能によるセッション確立動作を説明するシーケンス図である。
【図４】本発明にかかわる多地点会議システムの第２の実施形態を示す図である。
【図５】メール機能によるセッション確立動作を説明するシーケンス図である。
【図６】本発明にかかわる多地点会議システムの第３の実施形態を示す図である。
【図７】セッション確立動作を説明するシーケンス図である。
【図８】従来の多地点会議システムの構成例を示す図である。
【図９】セッション形成動作を表すシーケンス図である。
【符号の説明】
【００７１】
２０１  メールサーバ
２１０  ホスト端末
２１１  会議データ処理部
２１２  多地点会議接続インタフェース(Ｉ／Ｆ)
２１３  音声・画像通信部
２１４、２２１  接続制御部
２１５  メール送受信部
２１６  ミキシング処理部
２１７、２２２  手順制御部
２１８、２２６  情報管理部
２１９  メッセージ作成部
２２０、２３０  ユーザ端末
２２２  手順制御部
２２３  メッセージ作成部
２２４  メッセージ検出部
２２５  情報抽出部
２２７  アドレステーブル
２３１  ＳＩＰ接続インタフェース(Ｉ／Ｆ)
２３２  端末管理テーブル
２３３  多地点会議管理処理部
４０１  ＳＩＰサーバ
４０２  ユーザ端末
４０３  多地点通信制御装置（ＭＣＵ）
４０４  インスタントメッセージサーバ(ＩＭサーバ)
４１１  電子会議処理部
４１２  ＳＩＰインタフェース
４１３  入出力装置
【図１】
2007026199.tif 000003
【図２】
2007026199.tif 000004
【図３】
2007026199.tif 000005
【図４】
2007026199.tif 000006
【図５】
2007026199.tif 000007
【図６】
2007026199.tif 000008
【図７】
2007026199.tif 000009
【図８】
2007026199.tif 000010
【図９】
2007026199.tif 000011